(57)【特許請求の範囲】
【請求項１】
マーク期間の後に多周波信号が配置される信号フォーマットを有するバースト状信号として通信前情報通知サービスのために伝送される電話番号情報の受信装置において、
前記バーストの期間内における前記多周波信号の受信区間の平均電力に相当する正弦波の振幅で前記バースト状信号を予めクリップ処理するクリップ処理器と、
該クリップ処理器の出力から前記信号フォーマットを形成する周波数成分以外の余分な周波数成分を除去する受信フィルタと、
該受信フィルタの出力をヒルベルト変換を用いて復調する復調器とを備え、
前記バースト状信号の波長より短い幅のパルス性ノイズの影響を除去して前記電話番号情報を受信するように構成されたことを特徴とする電話番号情報の受信装置。
【請求項２】
前記バースト状信号を検知して該バーストの期間を示すバースト検知信号を出力するために前記復調器の出力に配置されたバースト検知部と、
該復調器からの復調信号と前記バースト検知部からの前記バースト検知信号とを用いて前記電話番号情報の判定データを取り出すためのデータ判定部を備え、
前記バースト状信号内の前記マーク期間を検知した検知出力は、前記バースト検知信号がアクティブとなる前記バーストの期間中に、所定時間以上のマーク信号を検出している期間にアクティブとなるマーク検出信号として前記データ判定部から出力されるように構成されたことを特徴とする請求項１に記載の電話番号情報の受信装置。
【請求項３】
前記マーク検出信号がアクティブになった後の最初のスペースでアクティブとなりそのバーストの終了でアンアクティブとなるスタートビット検出信号が前記データ判定部から出力されるように構成され、
前記マーク検出信号がアクティブであり、かつ、前記スタートビット検出信号がアンアクティブになっている測定時間に受信された前記バースト状信号の平均電力に相当する振幅で前記クリップ処理器は前記バースト状信号を予めクリップ処理するように構成されたことを特徴とする請求項２に記載の電話番号情報の受信装置。
【発明の詳細な説明】
【０００１】
【発明の属する技術分野】
本発明は、マーク期間後に多周波信号が配置される信号フォーマットを有するバースト状信号として通信前情報通知サービスのために伝送される発信及び／または着信の電話番号情報の受信装置に関するものである。
【０００２】
【従来の技術】
発信及び／又は着信の電話番号情報を受信する受信端末に使用される復調方法には、共振器やバンドパスフィルタを用いて所望の周波数（１３００Ｈｚ及び２１００Ｈｚ）の有無を判定する方法が一般的に用いられるが、ＤＳＰ（Digital Signal Processing:  ディジタル信号処理）でこの方法を用いる場合にはその処理量やメモリ量が問題となる。そこで比較的少ない処理量およびメモリ量で復調を実現することができるヒルベルト変換を用いた方法が提案されている。しかしこの方法は定常的なノイズには強いが、パルス性ノイズに対して弱いという問題がある。
【０００３】
図５に示す発信電話番号情報の受信装置は、多周波信号を含む被変調交流信号（以下、略してモデム信号とも称する）１の余分な周波数成分を除去する受信フィルタ２と、ヒルベルト変換を用いてモデム信号を復調する復調部３と、復調信号の論理を判定し発信電話番号情報６を出力するデータ判定部４と、モデム信号の受信期間を検出するバースト検出部５で構成されている。
【０００４】
受信フィルタ２は、１３００Ｈｚ〜２１００Ｈｚ以外の余分な周波数を除去するフィルタであり、そのフィルタ特性の１例を図６に示す。
【０００５】
図７は、復調部３の構成を示すブロック図である。
復調部３はモデム信号７のπ／２位相変換を行うヒルベルト変換器８と、モデム信号７に対してヒルベルト変換による遅延を補償するための遅延器９と、これらの出力信号から復調信号を得る演算部１０と、ノイズ成分を除去してより正確な復調信号１２を得るための波形整形フィルタ１１で構成される。
【０００６】
演算部１０での具体的な復調手順を以下に説明する。
入力信号（モデム信号７）をヒルベルト変換器８による遅延分遅延させる遅延器９の出力をＡ sinωｎとする。
ヒルベルト変換器８の出力は−Ａ cosωｎとなる。
【０００７】
遅延器９およびヒルベルト変換器８の各出力を２乗演算器１０−１，１０−２でそれぞれ２乗した各出力を加算器１０−３で加えると、
【数１】
0003770122.tif 000002
となる。
【０００８】
また、遅延器９およびヒルベルト変換器８の各出力の差分を差分器１０−４，１０−５で２乗演算器１０−６，１０−７でそれぞれ２乗すると、
【数２】
0003770122.tif 000003
となる。
【０００９】
（２）式の両出力を加算器１０−８で加えると、
【数３】
0003770122.tif 000004
となる。
【００１０】
（３）式の結果を（１）式の結果で除算器１０−９において除算すると、
【数４】
0003770122.tif 000005
となる。（４）式の結果は周波数にのみ依存した値であり、信号振幅には依存していないので、復調信号として扱うことができる。
【００１１】
さらに（４）式の結果を波形整形フィルタ１１に通してノイズ成分を除去し、復調信号１２として出力する。波形整形フィルタ１１のフィルタ特性の１例を図８に示す。
また（１）式の結果の平方根を平方根演算器１０−１０でとって受信レベル１３として出力し、バースト検出に使用する。
【００１２】
データ判定部４では復調信号１２と中心周波数１７００Ｈｚの（４）式に対応する値とを比較した出力の論理判定をし、バースト検出部５で検出されたバースト期間中に、発信電話番号情報６に先立って送信される６０ｍｓ以上連続したマーク信号（論理１）を検出し、８bit データをサンプルして発信電話番号情報として出力する。
【００１３】
バースト検出部５は一定区間毎に受信レベル１３の平均値（平均電力）を計算し、平均電力の立ち上がりを監視する。立ち上がる前の区間の平均電力を背景雑音電力とし、背景雑音電力と平均電力を比較して、平均電力が背景雑音電力より一定量以上大きいとき発信電話番号情報の受信期間（バースト期間）であると判断する。
【００１４】
【発明が解決しようとする課題】
従来の方法では受信フィルタ２および波形整形フィルタ１１により定常的なノイズは除去されるが、モデム信号にそのモデム信号の波長より短い幅のバルス性ノイズが混入した場合、受信フィルタ２で不要な周波数成分を取り除いても急峻な振幅変動は残るため、復調結果４sin2（ω／２）が真の値より小さくなり、中間周波数に対応する値との大小判定で論理を決定する方法ではマーク（論理１）と判定され、発信電話番号情報を誤検出する欠点がある。
【００１５】
本発明の目的は、パルス性ノイズによる誤検出を減少させることができる電話番号情報の受信装置を提供することにある。
【００１６】
【課題を解決するための手段】
この目的を達成するために、本発明による電話番号情報の受信装置は、
マーク期間の後に多周波信号が配置される信号フォーマットを有するバースト状信号として通信前情報通知サービスのために伝送される電話番号情報の受信装置において、
前記バーストの期間内における前記多周波信号の受信区間の平均電力に相当する正弦波の振幅で前記バースト状信号を予めクリップ処理するクリップ処理器と、
該クリップ処理器の出力から前記信号フォーマットを形成する周波数成分以外の余分な周波数成分を除去する受信フィルタと、
該受信フィルタに出力をヒルベルト変換を用いて復調する復調器とを備え、
前記バースト状信号の波長より短い幅のパルス性ノイズの影響を除去して前記電話番号情報を受信するように構成されている。
【００１７】
また、前記バースト状信号を検知して該バーストの期間を示すバースト検知信号を出力するために前記復調器の出力に配置されたバースト検知部と、
該復調器からの復調信号と前記バースト検知部からの前記バースト検知信号とを用いて前記電話番号情報の判定データを取り出すためのデータ判定部を備え、
前記バースト状信号内の前記マーク期間を検知した検知出力は、前記バースト検知信号がアクティブとなる前記バーストの期間中に、所定時間以上のマーク信号を検出している期間にアクティブとなるマーク検出信号として前記データ判定部から出力されるように構成することができる。
さらに、前記マーク検出信号がアクティブになった後の最初のスペースでアクティブとなりそのバーストの終了でアンアクティブとなるスタートビット検出信号が前記データ判定部から出力されるように構成され、
前記マーク検出信号がアクティブであり、かつ、前記スタートビット検出信号がアンアクティブになっている測定時間に受信された前記バースト状信号の平均電力に相当する振幅で前記クリップ処理器は前記バースト状信号を予めクリップ処理するように構成することができる。
【００１８】
即ち、本発明による発信又は着信の電話番号の如き電話番号情報の受信装置では、パルス性ノイズの急峻な振幅変動が問題となるので、モデム信号が復調部３に入力される前にあらかじめ振幅をクリップし、際立って大きな振幅のモデム信号を復調部３に入力しないようにする。
【００１９】
電話番号情報を受信中にモデム信号の平均電力を測定し、その平均電力に対応する正弦波の振幅を大幅に越える入力信号はパルス性ノイズであると見なし、平均電力の振幅で入力信号をクリップする。クリップすることで発生する高調波は受信フィルタ２で除去され、急峻な振幅変動がないので復調部でのパルス性ノイズの影響は減少し、電話番号情報の誤検出が少なくなる。
【００２０】
【発明の実施の形態】
本発明による電話番号情報の受信装置の実施例のブロック図を図１に、タイムチャートを図２に示す。
データ判定部４では、バースト検出部５で検出されたバースト検出信号１４がアクティブ（＝“Ｈ”）となるバースト期間中に、発信又は着信の電話番号の如き電話番号情報に先駆けて送出される６０ｍｓ以上のマーク信号を検出する。バースト検出点（１４−１）からマーク信号が１０ｍｓ以上連続して検出されたらマーク信号検出期間中とし、マーク検出信号をアクティブ（＝“Ｈ”）とする。その後、最初に検出したスペースがスタートビットであり、スタートビット検出信号をアクティブ（＝“Ｈ”）とする。
【００２１】
データ判定部４で作成されたマーク検出信号１４がアクティブ（＝“Ｈ”）であり、かつスタートビット検出信号１６がアンアクティブ（＝“Ｌ”）である期間を平均電力測定期間１７とし、クリップ処理部１８では、１区間を８ｍｓとした連続した３区間のモデム信号の平均電力をそれぞれ測定する。スタートビット検出点（１６−１）直前の３区間の平均電力のうち、中央値をモデム信号の電力とする。測定した電力に相当する正弦波の振幅を求める。スタートビット検出後のモデム信号が、求めた振幅を越えたらパルス性ノイズだと見なし、モデム信号を振幅にマージンを加えた値でクリップする。
【００２２】
図３（ａ）〜（ｄ）にパルス性ノイズを含むモデム信号の例を示す。縦線はノイズのサンプル点であり、図３（ａ）〜（ｄ）で同期して示されている。（ａ）は入力したモデム信号であり、パルス性ノイズを含む。（ｂ）はクリップ処理後のモデム信号であり、（ａ）と比較すると縦線で示すノイズの振幅が低くなっている。（ｃ）は（ｂ）の受信フィルタ出力であり、不要な周波数成分を除去することでノイズによる影響が減少している。（ｄ）は（ａ）の受信フィルタ出力であり、ノイズの影響が残っている。
【００２３】
図４（ａ），（ｂ）に復調信号の例を示す。（ａ）は図３（ｃ）の復調信号であり、（ｂ）は図３（ｄ）  の復調信号である。縦線でノイズの影響を受けた部分を示す。ノイズが混入した部分はスペース（２１００Ｈｚ）であるが、（ｂ）は復調信号４sin2（ω／２）が上がりきれないためマーク（１３００Ｈｚ）と誤判定される。
【００２４】
【発明の効果】
以上詳細に説明されたように、本発明による発信又は着信の電話番号の如き電話番号情報の受信装置によれば、モデム信号の電力を測定し、それより大きいレベルの信号が入力されたら信号をクリップするという比較的単純な方法で、パルス性ノイズによる電話番号情報の誤検出を大幅に減少させることができる。
【図面の簡単な説明】
【図１】本発明の実施例の構成を示すブロック図である。
【図２】図１の実施例の動作を説明するための信号タイミングチャートである。
【図３】本発明による電話番号情報の受信装置により受信されるモデム信号例を示す波形図である。
【図４】本発明に用いされるクリップ処理を説明するための波形図である。
【図５】従来の電話番号情報の受信装置の構成例を示すブロック図である。
【図６】従来の電話番号情報の受信装置に用いられている受信フィルタの周波数特性例図である。
【図７】従来の電話番号情報の受信装置に用いられている復調部の構成例を示すブロック図である。
【図８】従来の電話番号情報の受信装置に用いられている波形整形フィルタの周波数特性例図である。
【符号の説明】
１  被変調交流信号（モデム信号）
２  受信フィルタ
３  復調部
４  データ判定部
５  バースト検出部
６  電話番号情報
７  被変調交流信号（モデム信号）
８  ヒルベルト変換器
９  遅延器
１０  演算部
１０−１，１０−２  ２乗演算器
１０−３  加算器
１０−４，１０−５  差分器
１０−６，１０−７  ２乗演算器
１０−８  加算器
１０−９  除算器
１０−１０  平方根演算器
１１  波形整形フィルタ
１２  復調信号
１３  受信レベル
１４  バースト検出信号
１５  マーク検出信号
１６  スタートビット検出信号
１７  平均電力測定期間
１８  クリップ処理部
【図１】
0003770122.tif 000006
【図２】
0003770122.tif 000007
【図３】
0003770122.tif 000008
【図４】
0003770122.tif 000009
【図５】
0003770122.tif 000010
【図６】
0003770122.tif 000011
【図７】
0003770122.tif 000012
【図８】
0003770122.tif 000013